(57)【要約】【課題】  緊急時に、例えば、エレベータ内のインターフォンが中央局のオペレータ卓に接続できない状況になっても、第２の接続先に変更して通信を行うことができる通信端末装置及び通信方法を提供する。【解決手段】  ＬＴＥ方式で無線通信を行うＬＴＥ通信部１２０と、ＳＩＰサーバとして動作する通信制御部１１０と、ネットワークに接続するインタフェース部１３０とを備え、通信制御部１１０が、緊急地震速報等の特定のエリアメールを受信すると、中央局のＳＩＰサーバ１２との通信状態を確認し、通信が確立できない場合には、動作モードとして緊急モードを設定してＳＩＰ＿ＵＡとして機能し、ＳＩＰプロトコルの受信があると、伝送内容を解析し、宛先がＳＩＰサーバ１２を介して接続する相手であった場合、宛先を予め設定された緊急時の宛先に書き換えて通信を行うように動作する通信端末装置及び通信方法としている。【選択図】        図５
2019134377.tif 000002
【特許請求の範囲】
【請求項１】
第１の通信方式により基地局装置と無線通信を行って第１の接続先に接続すると共に、第２の通信方式によりネットワークを介して通信を行う通信端末装置であって、
前記基地局装置から特定の情報を受信すると、前記第１の接続先との通信状態を確認し、通信が確立できない場合には、動作モードを緊急モードに設定し、前記ネットワークを介して接続する端末から前記第１の接続先への通信要求があった場合に、通信先を前記ネットワークを介して接続する第２の接続先に切り替えて接続を試みる通信制御部を備えたことを特徴とする通信端末装置。
【請求項２】
通信制御部が、第２の接続先との通信が確立できない場合には、通信先を特定の携帯端末に切り替えて、第１の通信方式により基地局装置を介して接続を試みることを特徴とする請求項１記載の通信端末装置。
【請求項３】
通信制御部が、特定の携帯端末との通信が確立できない場合には、予め登録された通信先に第１の通信方式によりメールを配信することを特徴とする請求項２記載の通信端末装置。
【請求項４】
通信制御部が、端末と第２の接続先とがネットワークを介して接続されている状態で、三者通話の指示が入力されると、無線通信により予め接続先が設定された特定の携帯端末にも接続して三者での通話状態に移行することを特徴とする請求項１記載の通信端末装置。
【請求項５】
第１の通信方式により基地局装置と無線通信を行って第１の接続先に接続すると共に、第２の通信方式によりネットワークを介して通信を行う通信端末装置における通信方法であって、
前記通信端末装置の通信制御部が、前記基地局装置から特定の情報を受信すると、前記第１の接続先との通信状態をチェックし、通信が確立できない場合には、動作モードを緊急モードに設定し、前記ネットワークを介して接続する端末から前記第１の接続先への通信要求があると、通信先を前記ネットワークを介して接続する第２の接続先に切り替えて、接続を試みることを特徴とする通信方法。
【発明の詳細な説明】
【技術分野】
【０００１】
本発明は、無線通信システムに用いられ、ＬＴＥ（Long Term Evolution）方式により基地局と無線通信を行うと共にＬＡＮ（Local Area Network）を介してＳＩＰ（Session Initiation Protocol）プロトコルで通信を行う通信端末装置に係り、特に緊急時等に通信先を切り替えて、確実に外部に連絡することができる通信端末装置及び通信方法に関する。
【背景技術】
【０００２】
［先行技術の説明：図８］
従来の通信システムとして、例えば、エレベータ保安システムがあった。従来のエレベータ保安システムの構成について図８を用いて説明する。図８は、従来のエレベータ保安システムの概略構成図である。
図８に示すように、従来のエレベータ保安システムとしては、例えば、ビルに設けられたエレベータを、ビル外部にある中央局のオペレータが監視するものがある。
エレベータのカゴの中にいるユーザは、緊急時に、カゴ内に設置されたインターフォンを利用して、中央局のオペレータ卓を操作するオペレータと通話を行うことができる。
【０００３】
通話には、パケット通信をベースとするＳＩＰプロトコルを使用している。
エレベータ保安システムでは、ＳＩＰサーバがＭＡＣアドレスとＩＰアドレスを相互変換するアドレス解決を行って、ＳＩＰクライアントであるユーザエージェント（ＳＩＰ＿ＵＡ）同士が通信を行うようになっている。
【０００４】
エレベータ保安システムの構成について具体的に説明する。
図８に示すように、中央局には、オペレータが操作するオペレータ卓１１と、ＳＩＰサーバ１２と、ルータ１３とが設けられ、ルータ１３は専用線及び閉域網３２を介して無線通信システムの基地局３１に接続されている。
【０００５】
ビルには、管理室と、例えば、エレベータＡと、エレベータＢとが設けられ、管理室には、ＳＩＰクライアントであるＳＩＰ＿ＵＡ２１とそれに接続するインターフォン２４とが設けられ、エレベータＡには、ＳＩＰ＿ＵＡとして動作する制御ユニット２２とカゴ内に設けられたインターフォン２５が設けられ、エレベータＢには、制御ユニット（ＳＩＰ＿ＵＡ）２３とインターフォン２６とが設けられている。
【０００６】
更に、ビルには、ＬＴＥ方式で無線通信を行うＬＴＥ通信端末２００が設けられている。ＬＴＥ無線通信端末２００は、ＬＴＥ方式で無線通信システムの基地局３１と無線通信を行う。
また、ＬＴＥ通信端末２００は、ＬＡＮに接続するインタフェースを備え、ＳＩＰ＿ＵＡ２１、制御ユニット２２，２３、インターフォン２４〜２６とＬＡＮにより接続されている。
【０００７】
つまり、ＬＴＥ通信端末２００は、ＬＴＥ方式の無線通信に加えて、インタフェースを介してビル内のＳＩＰ＿ＵＡとの通信を行うＳＩＰサーバとしても機能し、通信方式に応じた伝送フォーマットに組み替えてビル内のインターフォンと中央局のオペレータ卓１１とのパケット通信を中継するものである。
【０００８】
［従来の通信システムの緊急時の動作：図８，図９］
従来の通信システムの緊急時の動作について図８，図９を用いて説明する。図９は、従来の通信システムにおける接続経路を示す模式説明図である。
地震が発生すると、基地局３１からエリアメールが配信され、ＬＴＥ通信端末２００は、エリアメールを受信するとこれを契機に、ＳＩＰ＿ＵＡ２１、制御ユニット２２，２３に地震の発生を通知する。
制御ユニット２２，２３は、地震発生の通知を受信すると、カゴを緊急で近くの階に停止させる制御を行う。
【０００９】
そして、図８及び図９（ａ）に示すように、例えば、エレベータＡのカゴ内のユーザが中央局のオペレータと通話を行う場合、ユーザがインターフォン２５の通話ボタンを押下すると、制御ユニット２２が通話要求をＬＴＥ通信端末２００に出力し、ＬＴＥ通信端末２００は、無線通信によって基地局３１に接続し、閉域網３２及び専用線を介して中央局のルータ１３に接続して、ＳＩＰサーバ１２を介してオペレータ卓１１に接続する。これにより、カゴ内のユーザと、中央局のオペレータとが通話可能となる。
【００１０】
また、図８及び図８（ｂ）に示すように、ビルに設けられた管理室の管理者（ＳＩＰ＿ＵＡ２１）と中央局のオペレータとの通話も同様に行われる。
【００１１】
［関連技術］
尚、ＳＩＰを用いた通信システムに関する従来技術としては、特開２０１１−２５００８５号公報「通信システム」（特許文献１）がある。
特許文献１には、統制局と代行局の両方にＳＩＰサーバを設けて、ＳＩＰサーバによる呼接続を二重化したシステムで、統制局と代行局の双方のＳＩＰサーバからトラヒック情報を収集する通信システムが記載されている。
【先行技術文献】
【特許文献】
【００１２】
【特許文献１】特開２０１１−２５００８５号公報
【発明の概要】
【発明が解決しようとする課題】
【００１３】
しかしながら、従来の通信システムでは、災害等の発生により、中央局や専用線等が被害を受けると、中央局とビルとの間で通信を行うことができなくなる恐れがあるという問題点があった。
このような場合には、カゴ内のユーザがインターフォンを利用してもオペレータと通話できず、助けを呼ぶことができない状態でカゴに閉じ込められてしまう危険がある。
【００１４】
尚、特許文献１には、通常はＳＩＰサーバとして動作する端末装置が、緊急時に、第１の接続先との通信を確立できない場合に、ＳＩＰ＿ＵＡとして動作して、別の端末から第１の接続先宛ての通信要求を受信すると、宛先を第２の接続先に変更するよう動作することは記載されていない。
【００１５】
本発明は上記実状に鑑みて為されたもので、災害等によって中央局とビルとの通信を確立できない状態になっても、カゴ内のユーザが外部に緊急事態を通知することができる通信端末装置及び通信方法を提供することを目的とする。
【課題を解決するための手段】
【００１６】
上記従来例の問題点を解決するための本発明は、第１の通信方式により基地局装置と無線通信を行って第１の接続先に接続すると共に、第２の通信方式によりネットワークを介して通信を行う通信端末装置であって、基地局装置から特定の情報を受信すると、第１の接続先との通信状態を確認し、通信が確立できない場合には、動作モードを緊急モードに設定し、ネットワークを介して接続する端末から第１の接続先への通信要求があった場合に、通信先をネットワークを介して接続する第２の接続先に切り替えて接続を試みる通信制御部を備えたことを特徴としている。
【００１７】
また、本発明は、上記通信端末装置において、通信制御部が、第２の接続先との通信が確立できない場合には、通信先を特定の携帯端末に切り替えて、第１の通信方式により基地局装置を介して接続を試みることを特徴としている。
【００１８】
また、本発明は、上記通信端末装置において、通信制御部が、特定の携帯端末との通信が確立できない場合には、予め登録された通信先に第１の通信方式によりメールを配信することを特徴としている。
【００１９】
また、本発明は、上記通信端末装置において、通信制御部が、端末と第２の接続先とがネットワークを介して接続されている状態で、三者通話の指示が入力されると、無線通信により予め接続先が設定された特定の携帯端末にも接続して三者での通話状態に移行することを特徴としている。
【００２０】
また、本発明は、第１の通信方式により基地局装置と無線通信を行って第１の接続先に接続すると共に、第２の通信方式によりネットワークを介して通信を行う通信端末装置における通信方法であって、通信端末装置の通信制御部が、基地局装置から特定の情報を受信すると、第１の接続先との通信状態をチェックし、通信が確立できない場合には、動作モードを緊急モードに設定し、ネットワークを介して接続する端末から第１の接続先への通信要求があると、通信先をネットワークを介して接続する第２の接続先に切り替えて、接続を試みることを特徴としている。
【発明の効果】
【００２１】
本発明によれば、第１の通信方式により基地局装置と無線通信を行って第１の接続先に接続すると共に、第２の通信方式によりネットワークを介して通信を行う通信端末装置であって、基地局装置から特定の情報を受信すると、第１の接続先との通信状態を確認し、通信が確立できない場合には、動作モードを緊急モードに設定し、ネットワークを介して接続する端末から第１の接続先への通信要求があった場合に、通信先をネットワークを介して接続する第２の接続先に切り替えて接続を試みる通信制御部を備えた通信端末装置としているので、緊急時に、端末から第１の接続先への通信ができない状況になっても、第２の接続先に変更して通信を行うことができ、例えば、緊急時にエレベータ内にユーザが閉じ込められた場合、エレベータ内のインターフォンと中央局のオペレータ卓とが通話できない状態となっても、ビル内の管理室に接続先を切り替えることで管理者と通話を行って、外部に救助を求めることができる効果がある。
【００２２】
また、本発明によれば、通信制御部が、第２の接続先との通信が確立できない場合には、通信先を特定の携帯端末に切り替えて、第１の通信方式により基地局装置を介して接続を試みる上記通信端末装置としているので、外部との通話を行うことができる可能性を高めることができる効果がある。
【００２３】
また、本発明によれば、通信制御部が、特定の携帯端末との通信が確立できない場合には、予め登録された通信先に第１の通信方式によりメールを配信する上記通信端末装置としているので、緊急時に、確実に外部に報知することができる効果がある。
【００２４】
また、本発明によれば、通信制御部が、端末と第２の接続先とがネットワークを介して接続されている状態で、三者通話の指示が入力されると、無線通信により予め接続先が設定された特定の携帯端末にも接続して三者での通話状態に移行する上記通信端末装置としているので、利便性を向上させることができる効果がある。
【００２５】
また、本発明によれば、第１の通信方式により基地局装置と無線通信を行って第１の接続先に接続すると共に、第２の通信方式によりネットワークを介して通信を行う通信端末装置における通信方法であって、通信端末装置の通信制御部が、基地局装置から特定の情報を受信すると、第１の接続先との通信状態をチェックし、通信が確立できない場合には、動作モードを緊急モードに設定し、ネットワークを介して接続する端末から第１の接続先への通信要求があると、通信先をネットワークを介して接続する第２の接続先に切り替えて、接続を試みる通信方法としているので、緊急時に、端末から第１の接続先への通信ができない状況になっても、第２の接続先に変更して通信を行うことができ、例えば、緊急時にエレベータ内にユーザが閉じ込められた場合、エレベータ内のインターフォンと中央局のオペレータ卓とが通話できない状態となっても、ビル内の管理室に接続先を切り替えることで管理者と通話を行うことができ、外部に救助を求めることができる効果がある。
【図面の簡単な説明】
【００２６】
【図１】本システムの概略構成図（緊急時）である。
【図２】本システムにおける緊急時の接続を示す説明図である。
【図３】ＬＴＥ通信端末１０の概略構成ブロック図である。
【図４】ＬＴＥ通信端末１０における動作モード設定の処理を示すフローチャートである。
【図５】緊急時のＳＩＰシーケンス（１）を示すシーケンス図である。
【図６】緊急時のＳＩＰシーケンス（２）を示すシーケンス図である。
【図７】緊急時のＳＩＰシーケンス（３）を示すシーケンス図である。
【図８】従来のエレベータ保安システムの概略構成図である。
【図９】従来の通信システムにおける接続経路を示す模式説明図である。
【発明を実施するための形態】
【００２７】
本発明の実施の形態について図面を参照しながら説明する。
［実施の形態の概要］
本発明の実施の形態に係る通信端末装置は、ＬＴＥ方式で無線通信を行うＬＴＥ通信部と、ＬＡＮに接続するインタフェース部とを備え、通信制御部が、緊急地震速報等の特定のエリアメールを受信すると、中央局のＳＩＰサーバとの通信状態を確認し、通信が確立できない場合には、動作モードとして緊急モードを設定してＳＩＰ＿ＵＡとして機能し、緊急モードが設定されている状態でＳＩＰプロトコルの受信があると、伝送内容を解析し、宛先がＳＩＰサーバを介して接続する相手であった場合、宛先を予め設定された緊急時の宛先に書き換えて通信を行うように動作するものであり、緊急時の宛先として、ビル内の管理室や特定の携帯端末を設定しておくことにより、専用線や閉域網が被害を受けた場合でも、外部との連絡を可能にするものである。
【００２８】
［実施の形態に係る通信システムの概略構成（緊急時）：図１］
本発明の実施の形態に係る通信端末装置を用いた通信システム（本システム）の概略構成について図１を用いて説明する。図１は、本システムの概略構成図（緊急時）である。
図１に示すように、本システムは、図８に示した従来の通信システムと基本的な構成は同じであり、中央局及びビルに設けられたＩＰネットワークシステム同士が、専用線、閉域網３２、無線通信システムの基地局３１を介して接続されている構成である。
【００２９】
中央局には、オペレータ卓１１と、ＳＩＰサーバ１２と、ルータ１３とが設けられ、ビルには、管理室にＳＩＰクライアント（ＳＩＰ＿ＵＡ２１）及びインターフォン１を備え、エレベータＡ内に制御ユニット２２及びインターフォン５２を備え、エレベータＢ内に制御ユニット２３及びインターフォン５３を備えている。
更に、中央局のオペレータは、携帯端末５５を保持している。携帯端末５５は、ＳＩＰ＿ＵＡとして動作可能であり、緊急時にカゴ内のインターフォンからの通話の宛先となり得るものである。
【００３０】
本システムのインターフォン５１，５２，５３には、従来と同様に、中央局のオペレータ卓１１への接続要求を行う指示を入力する通話ボタン等が設けられ、更に利便性を向上させるために、三者通話を要求するボタンを設けるようにしてもよい。
従来と同様の部分については同一の符号を付しており、説明は省略する。
【００３１】
また、ビルには、本システムの特徴部分であるＬＴＥ通信端末１０が設けられ、ＳＩＰサーバとして各ＳＩＰ＿ＵＡとＬＡＮを介して通信すると共に、無線通信網の基地局３１とはＬＴＥ方式の無線通信を行う。
特に、本システムのＬＴＥ通信端末１０は、動作モードとして通常モード又は緊急モードが設定可能となっており、緊急モードが設定されている場合には、ＳＩＰ＿ＵＡとして動作することができるものである。
【００３２】
そして、本システムは、図１に示すように、緊急時に専用線等に不具合が発生して、ビル内のＳＩＰ＿ＵＡ２１，２２，２３と中央局のＳＩＰサーバ１２とが接続できない状態になった場合、つまりカゴ内のユーザが中央局のオペレータとが通話できない状態となった場合に、ＬＴＥ通信端末１０が、ユーザからの要求を予め設定されている別の宛先に接続する動作を行う点が特徴となっている。
【００３３】
［緊急時の接続：図２］
ここで、本システムにおける緊急時の接続について図２を用いて説明する。図２は、本システムにおける緊急時の接続を示す説明図である。
図２に示すように、本システムでは、ＬＴＥ通信端末１０が、緊急時にエレベータ内のユーザから通話要求があった場合、ＳＩＰサーバ１２との接続が確立できない状態では、ＳＩＰ＿ＵＡとして機能して、接続先を切り替えるよう動作する。
【００３４】
ＬＴＥ通信端末１０は、図２（ａ）に示すように、例えば、接続先をＳＩＰ＿ＵＡ２１としてインターフォン５１を介してビル内の管理者とが通話できるようにしたり、図２（ｂ）に示すように、接続先を中央局のオペレータが保持している携帯端末５５として、オペレータとの通話を可能とするものである。緊急時のシーケンスについては後述する。
これにより、カゴ内のユーザは、ＳＩＰサーバ１２と接続できない場合でも、インターフォン５２，５３を介して外部と連絡を取れる可能性を高めることができるものである。
【００３５】
［ＬＴＥ通信端末の構成：図３］
次に、ＬＴＥ通信端末１０の構成について図３を用いて説明する。図３は、ＬＴＥ通信端末１０の概略構成ブロック図である。
図３に示すように、ＬＴＥ通信端末１０は、通信制御部１１０と、ＬＴＥ通信部１２０と、インタフェース部１３０とを備えている。これらの内、通信制御部１１０の動作が特徴部分となっている。
【００３６】
通信制御部１１０は、装置全体の制御を行うものであり、処理部、記憶部を備えている。そして、本ＬＴＥ通信端末１０の特徴として、通信制御部１１０は、ＳＩＰ＿ＵＡとして動作するための処理プログラム及び構成を備えている。
また、動作モードとして、通常モード又は緊急モードが設定される。動作モードは、デフォルトとして、通常モードが設定されている。
【００３７】
更に、通信制御部１１０は、緊急モードにおける接続先となる緊急時接続先の情報を記憶している。緊急時接続先として、通話用の接続先とメール送信先とを記憶している。
通話用の接続先としては、例えば、ビル内の管理室に設けられたＳＩＰ＿ＵＡ２１や、オペレータの携帯端末等があり、優先順位を付して登録されている。
メール送信先としては、ビル管理会社やエレベータ保守事業者等、複数登録されていることが望ましい。
【００３８】
通常モードが設定されている場合、通信制御部１１０は、従来と同様にＬＡＮとＬＴＥ無線回線との中継の動作を行う。
緊急モードが設定されている場合、通信制御部１１０は、単なる中継ではなく、ＳＩＰ＿ＵＡとして機能する。
【００３９】
各動作モードについて説明する。
通常モードは、図８，９で説明した従来の動作を実現する動作モードであり、ＬＴＥ通信端末１０は、従来と同様にＳＩＰサーバとして動作する。
具体的には、ＬＴＥ通信端末１０は、通常モードが設定されている状態でＳＩＰ＿ＵＡ２１，２２，２３から通話要求（中央局のオペレータ卓１１宛）を受信すると、パケットの内容を解析することなく、無線通信方式の伝送フォーマットに組み替えて、基地局３１に送信する。
【００４０】
また、基地局３１を介して、通話相手（中央局のオペレータ卓１１）からのＳＩＰメッセージを受信すると、ＬＴＥ通信端末１０は、ＳＩＰメッセージの宛先である通話要求元のＳＩＰ＿ＵＡに出力する。
【００４１】
緊急モードは、専用線や閉域網等に不具合が発生した場合を想定した動作モードであり、ＳＩＰ＿ＵＡとしても動作するモードである。
具体的には、通信制御部１１０は、緊急モードが設定されている場合には、受信パケットの解析機能が有効となり、ＳＩＰの機能（ピックアップ、保留、転送）を利用して制御ユニットのＳＩＰ＿ＵＡからのオペレータ卓１１宛てのパケットの宛先を、内部に記憶されている緊急時接続先に変更するよう制御する。
このシーケンスについては後述する。
【００４２】
更に、通信制御部１１０は、ＬＴＥ通信部１２０とＳＩＰ＿ＵＡの機能とを制御して、無線回線とＬＡＮ回線とを両方用いて三者同時通話を実現する。三者同時通話に伴って、通信制御部１１０は音声合成の処理も行う。
三者同時通話については後述する。
【００４３】
ＬＴＥ通信部１２０は、従来と同様にＬＴＥ方式の無線通信を行うものであり、信号処理部、無線送受信部を備え、基地局３１と無線通信を行う。
インタフェース部１３０は、従来と同様にＬＡＮに接続するインタフェースである。
【００４４】
［動作モードの設定：図４］
次に、ＬＴＥ通信端末１０における動作モード設定の処理について図４を用いて説明する。図４は、ＬＴＥ通信端末１０における動作モード設定の処理を示すフローチャートである。
図４に示すように、ＬＴＥ通信端末１０の通信制御部１１０は、通常モードが設定されている状態において、予め設定されている特定のエリアメール（例えば緊急地震速報）を受信したかどうかを監視し（３００）、受信した場合（ＹＥＳの場合）には、ＬＴＥ通信部１２０を介してＳＩＰサーバ１２との通信確立を図り、通信が確立したかどうかを判断する（３０２）。
【００４５】
処理３０２においてＳＩＰサーバ１２との通信が確立された場合（ＹＥＳの場合）には、ＬＴＥ通信端末１０は、処理３００に戻ってエリアメールの監視を続ける。つまり、緊急地震速報等を受信しても、ＳＩＰサーバ１２との通信が確認できた場合には、ＬＴＥ通信端末１０は、通常モードのまま動作する。
【００４６】
処理３０２でＳＩＰサーバ１２との通信確立が確認されなかった場合（Ｎｏの場合）には、ＬＴＥ通信端末１０は、動作モードを緊急モードに変更して設定する（３０４）。
緊急モードが設定された場合には、ＬＴＥ通信端末１０は本実施の形態の特徴となる動作を行うものであり、後述する。
【００４７】
そして、ＬＴＥ通信端末１０は、外部から緊急モードの解除の指示が入力されたかどうかを判断し（３０６）、解除指示が入力された場合（ＹＥＳの場合）には、動作モードを通常モードに設定して、処理３００に移行する。
このようにして、ＬＴＥ通信端末１０の動作モード設定の処理が行われるものである。
【００４８】
［緊急時のＳＩＰシーケンス（１）：図５］
次に、緊急時のＳＩＰシーケンス（１）について図５を用いて説明する。図５は、緊急時のＳＩＰシーケンス（１）を示すシーケンス図である。
図５のシーケンスは、ＬＴＥ通信端末１０に緊急モードが設定されている場合を示している。
尚、図５で「カゴ」と記載しているのは、ユーザが操作するインターフォン５２（５３）に接続する制御ユニット２２（２３）のＳＩＰ＿ＵＡに相当している。ここでは便宜的に制御ユニット２２の番号を付している。
同様に、「管理室」は、管理室に設けられたＳＩＰ＿ＵＡ２１に相当しており、同一の番号を付している。
【００４９】
図５に示すように、緊急時にカゴ２２からＬＴＥ通信端末１０に中央監視室のオペレータ卓１１宛てのＩＮＶＩＴＥ（接続要求）が送信される（Ｓ１）。
ＬＴＥ通信端末１０は、緊急モードが設定されているため、受信パケットの内容を解析して、オペレータ卓１１宛てであることを把握する。通常モードが設定されている場合には、ＬＴＥ無線通信によってオペレータ卓１１宛てに転送するが、緊急モードであるため、転送しない。
その代わりに、ＬＴＥ通信端末１０は、ＳＩＰ＿ＵＡとして振る舞い、代理接続要求としてＩＮＶＩＴＥ（Ｒｅｐｌａｃｅ）メッセージを送信する（Ｓ２）。
【００５０】
カゴ２２がＩＮＶＩＴＥメッセージを受信して、通話状態になると（Ｓ３）、ＬＴＥ通信端末１０は、保留するため、カゴ２２に保留接続要求としてＩＮＶＩＴＥ（Ｈｏｌｄ）メッセージを送信し（Ｓ４）、ＳＩＰリクエスト送信指示として、ＲＥＦＥＲメッセージを送信する（Ｓ５）。
その際、ＬＴＥ通信端末１０は、ＳＩＰリクエスト送信指示において、通信制御部１１０に記憶されている緊急時接続先を指定して送信する。ここでは、緊急接続先として、ビル内の管理室のＳＩＰ＿ＵＡ２１を指定する。
【００５１】
ＲＥＦＥＲメッセージを受信したカゴ２２は、管理室２１宛てにＩＮＶＩＴＥメッセージを送信し（Ｓ６）、管理室の管理人がオフフックすることで、カゴ２２（ＳＩＰ＿ＵＡ）に接続するインターフォン５２と管理室のインターフォン５１とが通話状態となる（Ｓ７）。この通話は、ＬＴＥ通信端末１０を介して実現されるものである。
そして、カゴ２２からＬＴＥ通信端末１０に接続状態になったことを示すＮＯＴＩＦＹメッセージが送信され（Ｓ８）、ＬＴＥ通信端末１０からカゴ２２にＢＹＥメッセージが送信されて、通話が切断される（Ｓ９）。
【００５２】
これにより、災害時に専用線等の不具合により、カゴ内のユーザが中央局のオペレータと通信できない状況となっても、ビル内の管理者と通話を行うことができ、外部に救助を求めることが可能となるものである。
【００５３】
［緊急時のＳＩＰシーケンス（２）：図６］
次に、緊急時のＳＩＰシーケンス（２）について図６を用いて説明する。図６は、緊急時のＳＩＰシーケンス（２）を示すシーケンス図である。
緊急時のＳＩＰシーケンス（２）は、図５に示したシーケンス（１）で、管理室に接続できなかった場合のシーケンスであり、Ｓ２〜Ｓ４は、図５と同様であるため、図６では省略している。
【００５４】
図６に示すように、ＬＴＥ通信端末１０からのＲＥＦＥＲメッセージ（Ｓ５）に応じて、カゴ２２（制御ユニット２２のＳＩＰ＿ＵＡ）が、管理室２１（管理室のＳＩＩＰ＿ＵＡ２１）宛てにＩＮＶＩＴＥメッセージを送信し（Ｓ６）、管理室２１からの応答を待ち受ける。
ＬＴＥ通信端末１０は、カゴ２２からの接続を示すＮＯＴＩＦＹメッセージを待ち受けるが、通話が開始されずタイムアウトすると（Ｓ１０）、カゴ２２に対して、次の緊急接続先として記憶されている携帯端末の接続情報を含むＲＥＦＥＲメッセージを送信する（Ｓ１１）。これは、当該携帯端末へのＳＩＰリクエスト送信指示である。
緊急接続先として登録する携帯端末は任意に選択可能であるが、例えば、中央局のオペレータが保持している携帯端末５５が考えられる。
【００５５】
カゴ２２は、ＲＥＦＥＲメッセージに基づいて、携帯端末５５宛てにＩＮＶＩＴＥメッセージを送信する（Ｓ１２）。携帯端末５５宛てのＩＮＶＩＴＥメッセージは、ＬＴＥ通信部１２０から無線通信により基地局３１及び無線通信網を介して携帯端末５５に送信され、携帯端末５５がオフフックされると通話が開始される（Ｓ１３）。
そして、カゴ２２からＬＴＥ通信端末１０にＮＯＴＩＦＹメッセージが送信され（Ｓ１４）、ＬＴＥ通信端末１０からカゴ２２にＢＹＥメッセージが送信されて、通話が切断される（Ｓ１５）。
【００５６】
これにより、ビル内の管理者との通話ができない場合でも、携帯端末５５の保持者（中央局のオペレータ）と通話を行うことができ、カゴ内のユーザは、外部に救助を求めることができるものである。
【００５７】
［緊急時のＳＩＰシーケンス（３）：図７］
次に、緊急時のＳＩＰシーケンス（３）について図７を用いて説明する。図７は、緊急時のＳＩＰシーケンス（３）を示すシーケンス図である。
緊急時のＳＩＰシーケンス（３）は、図６に示したシーケンス（２）で、携帯端末５５に接続できなかった場合のシーケンスであり、Ｓ２〜Ｓ１０は、図５及び図６と同様であるため、図７では省略している。
【００５８】
図７に示すように、ＬＴＥ通信端末１０からのＲＥＦＥＲメッセージ（Ｓ１１）に応じて、カゴ２２（制御ユニット２２のＳＩＰ＿ＵＡ）が、携帯端末５５宛てにＩＮＶＩＴＥメッセージを送信し（Ｓ１２）、携帯端末５５からの応答を待ち受ける。
【００５９】
ＬＴＥ通信端末１０は、カゴ２２からのＮＯＴＩＦＹメッセージを待ち受けるが、通話が開始されずタイムアウトすると（Ｓ２０）、カゴ２２に対して、ＢＹＥメッセージを送信して通話を切断し（Ｓ２１）、別の緊急接続先として記憶されているメールアドレスに、緊急メールを配信する。宛先となるメールアドレスは１つでも複数でも構わない。
これにより、管理室や特定の携帯端末との通信ができない場合でも、緊急事態であることを外部に報知することができるものである。
【００６０】
［緊急時の別の動作］
上述したように、図５〜図７のシーケンスでは、管理室、携帯端末、外部メールの順で接続先を変えて通信を試みるようにしているが、この順に限るものではない。
例えば、管理室２１ではなく、携帯端末５５に先に接続を試み、タイムアウトした場合に管理室２１に接続先を変更するようにしてもよい。
更に、ここでは、緊急時接続先（通話用）を２つ記憶している例について説明したが、より多くの接続先を登録しておき、優先順位に従って順次接続を試みるようにしてもよい。
【００６１】
また、メール送信のタイミングも上述した例に限るものではない。
例えば、緊急モードが設定されると、直ちに、登録されているアドレスに緊急メールを送信するようにしてもよい。
また、緊急モードにおいてカゴ２２から接続要求があった場合に、管理室２１又は携帯端末５５との接続失敗を待つことなく緊急メールを送信してもよい。
【００６２】
緊急モードが設定された時点で直ちにメールを送信する場合には、例えば、「地震によりビル内のエレベータが停止しました。中に人が閉じ込められているかもしれません」といった内容のメールを送信する。
カゴ２２から接続要求があった場合には、カゴＡ内に人がいることが明らかであるため、例えば、「エレベータＡが停止し、中に人が閉じ込められました。救助を要請してください」という内容のメールが考えられる。
更に、緊急モードが設定された時点と、カゴ２２からの接続要求があった時点の両時点でメールを送信するようにしてもよい。
【００６３】
［三者による通話］
次に、本システムにおいて、三者による通話を実現する例について説明する。
図３に示したように、ＬＴＥ通信端末１０は、ＬＴＥ通信部１２０と、ＳＩＰ＿ＵＡとして機能する通信制御部１１０とを備えている。
そのため、ＬＴＥ通信端末１０では、例えば、カゴ２２と管理室２１とをＬＡＮによって接続しつつ、中央局のオペレータの携帯端末５５と無線通信を介して接続し、通信制御部１１０において互いの音声を合成するように処理することにより、カゴ２２と管理室２１と携帯端末５５による三者通話を実現することができるものである。
【００６４】
例えば、カゴ２２が管理室２１と通話している状態で、インターフォンに設けられた三者通話を指示するボタンが押下されると、ＬＴＥ通信端末１０が携帯端末５５にＩＮＶＩＴＥメッセージを送信して、接続を試みる。
そして、ＬＴＥ通信端末１０と携帯端末５５とが通話状態になると、通信処理部１１０がカゴ２２、管理室２１、携帯端末５５の音声を合成して、ＬＡＮ及び無線回線に出力する。
このようにして、三者による通話を実現するものである。
【００６５】
三者での通話が実現すると、カゴ内の救助要請者の状況を、現場に近い管理室の管理者と、中央局のオペレータが同時に把握することができ、更に、具体的な救助方法等をオペレータが管理者に即時に指示することができるものである。
【００６６】
［実施の形態の効果］
本実施の形態に係るＬＴＥ通信端末１０（本通信端末）によれば、ＬＴＥ方式で無線通信を行うＬＴＥ通信部１２０と、ＬＡＮに接続するインタフェース部１３０とを備え、通信制御部１１が、緊急地震速報等の特定のエリアメールを受信すると、中央局のＳＩＰサーバ１２との通信状態を確認し、通信が確立できない場合には、動作モードとして緊急モードを設定してＳＩＰ＿ＵＡとして機能し、緊急モードが設定されている状態でカゴからＳＩＰプロトコルの受信があると、伝送内容を解析し、宛先がＳＩＰサーバ１２を介して接続する相手であった場合、宛先を予め設定された緊急時の宛先に書き換えて通信を行うように動作するものであり、緊急時の宛先として、ビル内の管理室２１や特定の携帯端末５５を設定しておくことにより、専用線や閉域網が被害を受けた場合でも、カゴ内に閉じ込められた人が、外部に連絡することができる効果がある。
【００６７】
また、本通信端末によれば、緊急モードにおいて、予め設定された宛先にメールを送信するようにしているので、緊急事態であることを確実に外部に報知することができる効果がある。
【００６８】
また、本通信端末によれば、三者通話を実現するようにしているので、例えば、カゴ内のユーザと、管理者と、中央局のオペレータとが同時に通話を行うことができ、更に利便性を向上させることができる効果がある。
【産業上の利用可能性】
【００６９】
本発明は、緊急時等に通信先を切り替えて、確実に外部に連絡することができる通信端末装置及び通信方法に適している。
【符号の説明】
【００７０】
１０，２００…ＬＴＥ通信端末、  １１…オペレータ卓、  １２…ＳＩＰサーバ、  １３…ルータ、  ２１…ＳＩＰ＿ＵＡ、  ２２，２３…制御ユニット、  ２４，２５，２６，５１，５２，５３…インターフォン、  ３１…基地局、  ３２…閉域網、  １２０…ＬＴＥ通信部、  １１０…通信制御部、  １３０…インタフェース部
【図１】
2019134377.tif 000003
【図２】
2019134377.tif 000004
【図３】
2019134377.tif 000005
【図４】
2019134377.tif 000006
【図５】
2019134377.tif 000007
【図６】
2019134377.tif 000008
【図７】
2019134377.tif 000009
【図８】
2019134377.tif 000010
【図９】
2019134377.tif 000011